(57)【要約】【課題】電力線搬送モデムやＡＤＳＬアナログフロントエンドにおいて、送受信モードの切り換え時に発生するノイズ成分を低減することによって、信号線のＳ／Ｎ比を改善すること。【解決手段】アナログフィルター１１の第１の出力端子とラインドライバ１２の第１の出力端子の間に、第１の抵抗１９と第２の抵抗２０を直列に接続する。第２の抵抗２０に、第３の抵抗１７と第１の容量１５を直列に接続する。第３の抵抗１７に第１の送信切換スイッチ１３を並列に接続する。アナログフィルター１１の第２の出力端子とラインドライバ１２の第２の出力端子の間に、第４の抵抗２１と第５の抵抗２２を直列に接続する。第５の抵抗２２に、第６の抵抗１８と第２の容量１６を直列に接続する。第６の抵抗１８に第２の送信切換スイッチ１４を並列に接続する。【選択図】        図１
2006157445.tif 000002
【特許請求の範囲】
【請求項１】
アナログフィルターの第１の出力端子とラインドライバの第１の入力端子の間に接続された第１の抵抗と、
前記ラインドライバの第１の出力端子とラインドライバの前記第１の入力端子の間に接続された第２の抵抗と、
ラインドライバの前記第１の出力端子に一端が接続された第３の抵抗と、
前記第３の抵抗の他端とラインドライバの前記第１の入力端子の間に接続された第１の容量と、
前記第３の抵抗に並列に接続された第１の送信切換スイッチと、
前記アナログフィルターの第２の出力端子と前記ラインドライバの第２の入力端子の間に接続された第４の抵抗と、
前記ラインドライバの第２の出力端子とラインドライバの前記第２の入力端子の間に接続された第５の抵抗と、
ラインドライバの前記第２の出力端子に一端が接続された第６の抵抗と、
前記第６の抵抗の他端とラインドライバの前記第２の入力端子の間に接続された第２の容量と、
前記第６の抵抗に並列に接続された第２の送信切換スイッチと、を具備し、
前記ラインドライバから送信信号を出力するときと出力しないときの切り換え時に、前記第１の送信切換スイッチおよび前記第２の送信切換スイッチのオン状態とオフ状態の切り換えを行うことを特徴とする送信切り換え回路。
【請求項２】
前記第１の送信切換スイッチ、前記第２の送信切換スイッチ、前記第３の抵抗および前記第６の抵抗は、前記アナログフィルターおよび前記ラインドライバと同じ半導体チップに集積されていることを特徴とする請求項１に記載の送信切り換え回路。
【請求項３】
前記第１の容量、前記第２の容量、前記第１の抵抗、前記第２の抵抗、前記第４の抵抗および前記第５の抵抗は、前記アナログフィルターおよび前記ラインドライバが集積された半導体チップに対して外付けされることを特徴とする請求項１または２に記載の送信切り換え回路。
【請求項４】
前記ラインドライバから送信信号を出力しないとき、前記第１の送信切換スイッチはオン状態となって前記第３の抵抗の一端と他端を短絡し、前記第２の送信切換スイッチはオン状態となって前記第６の抵抗の一端と他端を短絡することを特徴とする請求項１〜３のいずれか一つに記載の送信切り換え回路。
【請求項５】
アナログフィルターと、
ラインドライバと、
前記アナログフィルターの第１の出力端子と第１の抵抗の一端に接続される第１の端子と、
前記ラインドライバの第１の入力端子と前記第１の抵抗の他端、第２の抵抗の一端及び第１の容量の一端に接続される第２の端子と、
前記ラインドライバの第１の出力端子に一端が接続された第３の抵抗と、
前記第３の抵抗の他端と前記第１の容量の他端に接続される第３の端子と、
前記ラインドライバの前記第１の出力端子と前記第２の抵抗の他端に接続される第４の端子と、
前記第３の端子と前記第４の端子の間に、前記第３の抵抗に並列に接続された第１の送信切換スイッチと、
前記アナログフィルターの第２の出力端子と第４の抵抗の一端に接続される第５の端子と、
前記ラインドライバの第２の入力端子と前記第４の抵抗の他端、第５の抵抗の一端及び第２の容量の一端に接続される第６の端子と、
前記ラインドライバの第２の出力端子に一端が接続された第６の抵抗と、
前記第６の抵抗の他端と前記第２の容量の他端に接続される第７の端子と、
前記ラインドライバの前記第２の出力端子と前記第５の抵抗の他端に接続される第８の端子と、
前記第７の端子と前記第８の端子の間に、前記第６の抵抗に並列に接続された第２の送信切換スイッチと、
を具備し、
前記ラインドライバから送信信号を出力するときと出力しないときの切り換え時に、前記第１の送信切換スイッチおよび前記第２の送信切換スイッチのオン状態とオフ状態の切り換えを行うことを特徴とする半導体集積回路。
【請求項６】
アナログフィルターの第１の出力端子に一端が接続された第１の抵抗と、
前記第１の抵抗の他端とラインドライバの第１の出力端子の間に接続された第２の抵抗と、
ラインドライバの前記第１の出力端子と前記ラインドライバの第１の入力端子の間に接続された第１の容量と、
前記第１の容量に並列に接続された第３の抵抗と、
アナログフィルターの前記第１の出力端子とラインドライバの前記第１の入力端子の間に接続された第４の抵抗と、
前記第１の抵抗と前記第２の抵抗との接続ノードと、ラインドライバの前記第１の入力端子の間に接続された第１の送信切換スイッチと、
前記アナログフィルターの第２の出力端子に一端が接続された第５の抵抗と、
前記第５の抵抗の他端と前記ラインドライバの第２の出力端子の間に接続された第６の抵抗と、
ラインドライバの前記第２の出力端子と前記ラインドライバの第２の入力端子の間に接続された第２の容量と、
前記第２の容量に並列に接続された第７の抵抗と、
アナログフィルターの前記第２の出力端子とラインドライバの前記第２の入力端子の間に接続された第８の抵抗と、
前記第５の抵抗と第６の抵抗との接続ノードと、ラインドライバの前記第２の入力端子の間に接続された第２の送信切換スイッチと、を具備し、
前記ラインドライバから送信信号を出力するときと出力しないときの切り換え時に、前記第１の送信切換スイッチおよび前記第２の送信切換スイッチのオン状態とオフ状態の切り換えを行うことを特徴とする送信切り換え回路。
【請求項７】
前記第１の送信切換スイッチ、前記第２の送信切換スイッチ、前記第１の容量、前記第２の容量、前記第３の抵抗および前記第７の抵抗は、前記アナログフィルターおよび前記ラインドライバと同じ半導体チップに集積されていることを特徴とする請求項６に記載の送信切り換え回路。
【請求項８】
前記第１の抵抗、前記第２の抵抗、前記第５の抵抗および前記第６の抵抗は、前記アナログフィルターおよび前記ラインドライバが集積された半導体チップに対して外付けされることを特徴とする請求項６または７に記載の送信切り換え回路。
【請求項９】
前記ラインドライバから送信信号を出力しないとき、前記第１の送信切換スイッチはオン状態となって前記第１の抵抗と前記第２の抵抗の接続ノードと前記ラインドライバの前記第１の入力端子を短絡し、前記第２の送信切換スイッチはオン状態となって前記第５の抵抗と第６の抵抗の接続ノードと前記ラインドライバの前記第２の入力端子を短絡することを特徴とする請求項１〜３のいずれか一つに記載の送信切り換え回路。
【請求項１０】
アナログフィルターと、
ラインドライバと、
前記アナログフィルターの第１の出力端子と第１の抵抗の一端に接続される第１の端子と、
前記第１の抵抗の他端と第２の抵抗の一端に接続される第２の端子と、
前記第２の抵抗の他端と前記ラインドライバの第１の出力端子に接続される第３の端子と、
前記ラインドライバの第１の入力端子と前記ラインドライバの前記第１の出力端子の間に接続された第１の容量と、
前記第１の容量に並列に接続された第３の抵抗と、
前記アナログフィルターの前記第１の出力端子と前記ラインドライバの前記第１の入力端子の間に接続された第４の抵抗と、
前記第２の端子と前記ラインドライバの前記第１の入力端子の間に接続された第１の送信切換スイッチと、
前記アナログフィルターの第２の出力端子と第５の抵抗の一端に接続される第４の端子と、
前記第５の抵抗の他端と第６の抵抗の一端に接続される第５の端子と、
前記第６の抵抗の他端と前記ラインドライバの第２の出力端子に接続される第６の端子と、
前記ラインドライバの第２の入力端子と前記ラインドライバの前記第２の出力端子の間に接続された第２の容量と、
前記第２の容量に並列に接続された第７の抵抗と、
前記アナログフィルターの前記第２の出力端子と前記ラインドライバの前記第２の入力端子の間に接続された第８の抵抗と、
前記第５の端子と前記ラインドライバの前記第２の入力端子の間に接続された第２の送信切換スイッチと、
を具備し、
前記ラインドライバから送信信号を出力するときと出力しないときの切り換え時に、前記第１の送信切換スイッチおよび前記第２の送信切換スイッチのオン状態とオフ状態の切り換えを行うことを特徴とする送信切り換え回路。
【発明の詳細な説明】
【技術分野】
【０００１】
この発明は、送信切り換え回路に関し、電力線や電話線を利用して通信を行う際に使用されるアナログフロントエンド回路において、送信信号の出力と非出力を切り換える送信切り換え回路および半導体集積回路に関する。
【０００２】
近時、電気機器に電力を供給するための電力線を利用してデータ通信等の情報伝達を行うネットワーク技術が検討されている。このネットワーク技術では、電力線の信号レベルは極めて小さい。従って、送受信される信号を正確に伝達するためには、ノイズによる誤動作の影響をできるだけ避けることが要求される。
【背景技術】
【０００３】
電力線を信号線として利用して情報を伝達する際には、電力線が１本であるため、送信または受信のいずれか一方でしか情報を伝達することができない。従って、デバイス（装置）側で送信モードと受信モードを切り換える必要がある。そのモードの切り換え時に、信号線（電力線）に切り換えノイズが発生するため、実用化に向けてＳ／Ｎ比（信号対雑音比）を改善する技術が要求されている。
【０００４】
電話線を利用して情報伝達を行うネットワーク技術の一つである非対称ディジタル加入者線（ＡＤＳＬ）では、送信側にアナログフィルターとラインドライバを有するアナログフロントエンド回路が公知である（例えば、特許文献１参照。）。このアナログフロントエンド回路では、アナログフィルターにより、その前段で生成された信号のフィルター処理が行われて、送信信号が生成される。そして、フィルター処理された送信信号は、所望のＡＤＳＬ特性を実現するように、ラインドライバにより増幅または減衰されて電話線へ出力される。
【０００５】
図５は、送信モードと受信モードの切り換え機能を有するアナログフロントエンド回路の送信切り換え回路を示すブロック図である。図５に示すように、アナログフィルター１とラインドライバ２の間に、送信切換スイッチ３，４が接続されている。ラインドライバ２から送信信号を出力するときには、送信切換スイッチ３，４はアナログフィルター１側に接続される。それによって、アナログフィルター１でフィルター処理された信号が、ラインドライバ２で増幅または減衰されて出力電圧Ｖoutの送信信号として信号線へ出力される。
【０００６】
一方、無信号時やディスイネーブル時など、送信信号を出力しないときには、送信切換スイッチ制御信号により送信切換スイッチ３，４の接続先が切り換えられて、ラインドライバ２の入力端子が接地される。それによって、図６に示すように、ラインドライバ２の出力が接地電位（０Ｖ）となり、アナログフィルター１のノイズ５がラインドライバ２を介して信号線に乗るのを防いでいる。
【０００７】
【特許文献１】特開２００２−１５８７４１号公報（図５、図６Ａ）
【発明の開示】
【発明が解決しようとする課題】
【０００８】
しかしながら、図５に示す送信切り換え回路では、送信切換スイッチ３，４の接続先がアナログフィルター１の出力側から接地側に切り換えられた瞬間に、アナログフィルター１で発生したＤＣオフセット電圧Ｖoff1分が０Ｖに落ちる。それに伴って、図６に示すように、ノイズ（ＤＣオフセット変動ノイズ）６がラインドライバ２で発生し、そのＤＣオフセット変動ノイズ６がラインドライバ２から信号線へ出力される。
【０００９】
ＡＤＳＬでは、信号線（電話線）の信号レベルが大きいため、このＤＣオフセット変動ノイズ６はさほど問題にならない。しかし、電力線を信号線として利用する場合には、上述したように、信号線の信号レベルが極めて小さい。そのため、送受信される信号を正確に伝達するには、ＤＣオフセット変動ノイズ６の影響をできるだけ小さくする必要がある。
【００１０】
この発明は、上述した問題点を解消するため、送受信モードの切り換え時に発生するノイズ成分を低減することによって、信号線のＳ／Ｎ比を改善することができるアナログフロントエンド回路の送信切り換え回路および半導体集積回路を提供することを目的とする。
【課題を解決するための手段】
【００１１】
上述した課題を解決し、目的を達成するため、本発明にかかる送信切り換え回路および半導体集積回路では、アナログフィルターの第１の出力端子とラインドライバの第１の入力端子の間に第１の抵抗が接続される。ラインドライバの第１の出力端子とラインドライバの第１の入力端子の間に第２の抵抗が接続される。ラインドライバの第１の出力端子に第３の抵抗の一端が接続され、その第３の抵抗の他端とラインドライバの第１の入力端子の間に第１の容量が接続される。そして、第３の抵抗に並列に第１の送信切換スイッチが接続される。
【００１２】
また、アナログフィルターの第２の出力端子とラインドライバの第２の入力端子の間に第４の抵抗が接続される。ラインドライバの第２の出力端子とラインドライバの第２の入力端子の間に第５の抵抗が接続される。ラインドライバの第２の出力端子に第６の抵抗の一端が接続され、その第６の抵抗の他端とラインドライバの第２の入力端子の間に第２の容量が接続される。そして、第６の抵抗に並列に第２の送信切換スイッチが接続される。第１の送信切換スイッチおよび第２の送信切換スイッチのオン状態とオフ状態の切り換えは、ラインドライバから送信信号を出力するときと出力しないときの切り換え時に行われる。
【００１３】
この発明によれば、ラインドライバから送信信号を出力しないときには、第１の送信切換スイッチと第２の送信切換スイッチがオン状態となる。それによって、第１の容量と第１の抵抗と第２の抵抗からなるフィルターと、第２の容量と第４の抵抗と第５の抵抗からなるフィルターにより、第１の送信切換スイッチおよび第２の送信切換スイッチがオフ状態からオン状態に切り換わるときのノイズが除去される。
【発明の効果】
【００１４】
本発明によれば、送受信モードの切り換え時に発生するノイズ成分を低減することができるので、信号線のＳ／Ｎ比を改善することが可能なアナログフロントエンド回路の送信切り換え回路および半導体集積回路が得られるという効果を奏する。
【発明を実施するための最良の形態】
【００１５】
以下に添付図面を参照して、この発明にかかる送信切り換え回路および半導体集積回路の好適な実施の形態を詳細に説明する。
【００１６】
（実施の形態１）
図１は、実施の形態１の送信切り換え回路を示すブロック図である。図１に示すように、実施の形態１の送信切り換え回路は、一対の送信切換スイッチ１３，１４、一対の容量１５，１６および三対の抵抗１７，１８，１９，２０，２１，２２を備えている。これらのうち、一対の送信切換スイッチ１３，１４と第３の抵抗１７および第６の抵抗１８は、特に限定しないが、例えば図１において破線で示すＩＣ（集積回路）１００の内部に設けられている。また、一対の容量１５，１６と残りの抵抗１９，２０，２１，２２は、ＩＣ１００に外付けされている。図１において、符号２３、２４、２５、２６、２７、２８、２９および３０は、ＩＣ１００の内部と外部とを接続するための端子である。
【００１７】
差動信号を出力するアナログフィルター１１の第１の出力端子は、第１の端子２３に接続されている。第１の端子２３と第２の端子２４の間には、第１の抵抗１９が接続されている。第２の端子２４は、差動信号が入力されるラインドライバ１２の第１の入力端子に接続されている。第２の端子２４と第３の端子２５の間には、第１の容量１５が接続されている。また、第２の端子２４と第４の端子２６の間には、第２の抵抗２０が接続されている。第４の端子２６は、ラインドライバ１２の第１の出力端子に接続されている。第３の端子２５と第４の端子２６との間には、第１の送信切換スイッチ１３と第３の抵抗１７が並列に接続されている。
【００１８】
アナログフィルター１１の第２の出力端子は、第５の端子２７に接続されている。第５の端子２７と第６の端子２８の間には、第４の抵抗２１が接続されている。第６の端子２８は、ラインドライバ１２の第２の入力端子に接続されている。第６の端子２８と第７の端子２９の間には、第２の容量１６が接続されている。また、第６の端子２８と第８の端子３０の間には、第５の抵抗２２が接続されている。第８の端子３０は、ラインドライバ１２の第２の出力端子に接続されている。第７の端子２９と第８の端子３０との間には、第２の送信切換スイッチ１４と第６の抵抗１８が並列に接続されている。
【００１９】
第１の送信切換スイッチ１３と第２の送信切換スイッチ１４は、送信切換スイッチ制御信号により、同時にオン／オフの切り換えが行われる。第１および第２の送信切換スイッチ１３，１４は、例えばＰチャネルの電界効果トランジスタであり、そのゲートに入力される送信切換スイッチ制御信号が相対的に高いレベルおよび低いレベルのときにそれぞれオフ状態およびオン状態となる。ラインドライバ１２から出力される電圧Ｖoutの差動出力信号は、第４の端子２６と第８の端子３０を介して、信号線、例えば電力線に送信信号として出力される。
【００２０】
なお、第１の容量１５、第２の容量１６、第１の抵抗１９、第２の抵抗２０、第４の抵抗２１および第５の抵抗２２のうちいずれか一つ以上をＩＣ１００の内部に設けてもよい。
【００２１】
図２は、図１に示す回路の送受信切り換え時の信号波形を示す波形図である。図１に示す回路では、送信信号を出力するときには、第１の送信切換スイッチ１３と第２の送信切換スイッチ１４がオフ状態となる。このときのラインドライバ１２の出力Ｖoutには、アナログフィルター１１で発生したＤＣオフセット電圧Ｖoff1がそのまま出力される。一方、送信信号を出力しないときには、第１の送信切換スイッチ１３と第２の送信切換スイッチ１４がオン状態となり、第３の端子２５と第４の端子２６、および第７の端子２９と第８の端子３０が、それぞれ短絡する。
【００２２】
それによって、第１の容量１５と第１の抵抗１９と第２の抵抗２０からなるフィルターと、第２の容量１６と第４の抵抗２１と第５の抵抗２２からなるフィルターにより、第１の送信切換スイッチ１３および第２の送信切換スイッチ１４がオフ状態からオン状態に切り換わるときのノイズが除去される。ラインドライバ１２の出力Ｖoutは、ノイズのないアナログフィルター１１のＤＣオフセット電圧Ｖoff1となる。
【００２３】
（実施の形態２）
図３は、実施の形態２の送信切り換え回路を示すブロック図である。図３に示すように、実施の形態２の送信切り換え回路は、一対の送信切換スイッチ４３，４４、一対の容量４５，４６および四対の抵抗４７，４８，４９，５０，５１，５２，５３，５４を備えている。これらのうち、一対の送信切換スイッチ４３，４４、一対の容量４５，４６、第３の抵抗４７、第７の抵抗４８、第４の抵抗５３および第８の抵抗５４は、特に限定しないが、例えば図３において破線で示すＩＣ２００の内部に設けられている。また、残りの抵抗４９，５０，５１，５２は、ＩＣ２００に外付けされている。図３において、符号５５、５６、５７、５８、５９および６０は、ＩＣ２００の内部と外部とを接続するための端子である。
【００２４】
差動信号を出力するアナログフィルター４１の第１の出力端子は、第４の抵抗５３を介して、差動信号が入力されるラインドライバ４２の第１の入力端子に接続されている。また、アナログフィルター４１の第１の出力端子は、第１の端子５５に接続されている。第１の端子５５と第２の端子５６の間には、第１の抵抗４９が接続されている。第２の端子５６とラインドライバ４２の第１の入力端子との間には、第１の送信切換スイッチ４３が接続されている。また、第２の端子５６と第３の端子５７の間には、第２の抵抗５０が接続されている。第３の端子５７は、ラインドライバ４２の第１の出力端子に接続されている。ラインドライバ４２の第１の出力端子と第１の入力端子の間には、第１の容量４５と第３の抵抗４７が並列に接続されている。
【００２５】
アナログフィルター４１の第２の出力端子は、第８の抵抗５４を介して、ラインドライバ４２の第２の入力端子に接続されている。また、アナログフィルター４１の第２の出力端子は、第４の端子５８に接続されている。第４の端子５８と第５の端子５９の間には、第５の抵抗５１が接続されている。第５の端子５９とラインドライバ４２の第２の入力端子との間には、第２の送信切換スイッチ４４が接続されている。また、第５の端子５９と第６の端子６０の間には、第６の抵抗５２が接続されている。第６の端子６０は、ラインドライバ４２の第２の出力端子に接続されている。ラインドライバ４２の第２の出力端子と第２の入力端子の間には、第２の容量４６と第７の抵抗４８が並列に接続されている。
【００２６】
第１の送信切換スイッチ４３と第２の送信切換スイッチ４４は、送信切換スイッチ制御信号により、同時にオン／オフの切り換えが行われる。第１および第２の送信切換スイッチ４３，４４は、例えばＮチャネルの電界効果トランジスタであり、そのゲートに入力される送信切換スイッチ制御信号が相対的に高いレベルおよび低いレベルのときにそれぞれオン状態およびオフ状態となる。ラインドライバ４２から出力される電圧Ｖoutの差動出力信号は、第３の端子５７と第６の端子６０を介して、信号線、例えば電力線に送信信号として出力される。
【００２７】
なお、第１の抵抗４９、第２の抵抗５０、第５の抵抗５１および第６の抵抗５２のうちいずれか一つ以上をＩＣ２００の内部に設けてもよい。
【００２８】
図４は、図３に示す回路の送受信切り換え時の信号波形を示す波形図である。図３に示す回路では、送信信号を出力するときには、第１の送信切換スイッチ４３と第２の送信切換スイッチ４４がオン状態となる。このときのラインドライバ４２の出力Ｖoutには、アナログフィルター４１で発生したＤＣオフセット電圧Ｖoff1がそのまま出力される。一方、送信信号を出力しないときには、第１の送信切換スイッチ４３と第２の送信切換スイッチ４４がオフ状態となる。
【００２９】
それによって、第１の容量４５と第３の抵抗４７と第４の抵抗５３からなるフィルターと、第２の容量４６と第７の抵抗４８と第８の抵抗５４からなるフィルターにより、第１の送信切換スイッチ４３および第２の送信切換スイッチ４４がオン状態からオフ状態に切り換わるときに、アナログフィルター４１のＤＣオフセット電圧Ｖoff1によるノイズが除去される。ラインドライバ４２の出力Ｖoutは、ノイズのないアナログフィルター４１のＤＣオフセット電圧Ｖoff1とラインドライバ４２のＤＣオフセット電圧Ｖoff2を足した電圧となる。
【００３０】
この場合、ＩＣ２００の内部の抵抗（第１および第７の抵抗４７，５３と第２および第８の抵抗４８，５４）と外部の抵抗（第３および第４の抵抗４９，５０と第５および第６の抵抗５１，５２）の相対誤差を小さくする必要がある。これは、その相対誤差が大きいと、第１および第２の送信切換スイッチ４３，４４のオン／オフの切り換え時に、ラインドライバ４２のＤＣオフセット電圧Ｖoff2によるノイズが発生するおそれがあるからである。この問題は、実施の形態１では起こらない。
【００３１】
以上において本発明は、上述した実施の形態に限らず、種々変更可能である。また、本発明は、電力線を利用したネットワーク技術に用いられるアナログフロントエンド回路以外にも、電話線を利用したネットワーク技術や無線通信技術に用いられるアナログフロントエンド回路にも適用可能である。
【産業上の利用可能性】
【００３２】
以上のように、本発明にかかる送信切り換え回路および半導体集積回路は、電力線や電話線を利用したネットワーク技術や無線通信技術に有用であり、特に、それらの技術に用いられる送受信切り換え機能を有する電力線搬送モデムやＡＤＳＬアナログフロントエンド回路に適している。
【図面の簡単な説明】
【００３３】
【図１】実施の形態１の送信切り換え回路を示すブロック図である。
【図２】図１に示す回路の送受信切り換え時の信号波形を示す波形図である。
【図３】実施の形態２の送信切り換え回路を示すブロック図である。
【図４】図３に示す回路の送受信切り換え時の信号波形を示す波形図である。
【図５】一般的な送信切り換え回路を示すブロック図である。
【図６】図５に示す回路の送受信切り換え時の信号波形を示す波形図である。
【符号の説明】
【００３４】
１１，４１  アナログフィルター
１２，４２  ラインドライバ
１３，４３  第１の送信切換スイッチ
１４，４４  第２の送信切換スイッチ
１５，４５  第１の容量
１６，４６  第２の容量
１７，４７  第３の抵抗
１８，５２  第６の抵抗
１９，４９  第１の抵抗
２０，５０  第２の抵抗
２１，５３  第４の抵抗
２２，５１  第５の抵抗
４８  第７の抵抗
５４  第８の抵抗
【図１】
2006157445.tif 000003
【図２】
2006157445.tif 000004
【図３】
2006157445.tif 000005
【図４】
2006157445.tif 000006
【図５】
2006157445.tif 000007
【図６】
2006157445.tif 000008